(57)【特許請求の範囲】
【請求項１】
パネルの上下端の一方に接続凸部を、他方に接続凹部を形成し、パネルの表面の上端部に固定用凹部を、パネルの表面の下端部に固定用凹部に対して横目地溝を残して被せる覆い片を垂下し、パネルの左右端部にパネルの表面外皮を折り曲げて側部接続片を形成し、上下及び左右に接続されるパネル間のシール構造であって、
接続凸部と接続凹部との間にパネルの全幅にわたる第１パッキンを設け、第２パッキンはベローズ状に形成され、第２パッキンに形成した突条部を覆い片の背面に形成した凹溝に係入して固定用凹部と覆い片との間にパネルの全幅にわたる第２パッキンを設け、第１パッキンは第２パッキンよりも上位に設けられ、第２パッキンの直下方で覆い片と固定用凹部とで構成される横目地溝の底部にパネルの全幅にわたる第３パッキンを敷設し、第３パッキンを溝長さ方向に分断して通気用の第１開口を形成し、第２パッキンに第１開口とは左右方向における位置を異ならせて第２開口を形成し、第２パッキンと第１パッキンとで囲繞される横通気路を形成し、側部接続片間にパネルの全高にわたる第４パッキンを設け、第４パッキンよりもパネル表面側で上記第３パッキンの長さ方向の側端部間に縦目地片を介装し、第４パッキン、第３パッキン及び縦目地片にて囲繞して縦通気路を形成し、縦通気路の上下端を大気に連通して成ることを特徴とするパネル間のシール構造。
【発明の詳細な説明】
【０００１】
【発明の属する技術分野】
本発明は、上下及び左右に接続されるパネル間のシール構造に関し、詳しくは、パネルを接続する際の横目地及び縦目地における通気路を連通して等圧とすることで、通気路における空気の流れを効果的に抑制して、空気の流れ及び圧力の変動による雨水の浸入を防止し、かつ、毛細管現象に伴う雨水の浸入を防止し、結果として、シール構成を簡素化しながら、充分なシールを得るようにしようとする技術に係るものである。
【０００２】
【従来の技術】
従来、上下及び左右に接続されるパネル間のシール構造は、例えば、図７及び８に示す特願平９−１０７７４６号のように、パネル１ａ，１ａの上下方向の接続においては、接続凹部３ａと接続凸部２ａの間にパッキン１３ａを介装し、パネル１ａ，１ａの横方向の接続においては、左右のパネル１ａの側部接続片１０と断熱材との間にパッキン１４ａを介装し、左右のパッキン１４ａ，１４ａ間に樋状体２３を架設してシールをおこなうのである。又、パネル１ａ…の上下左右の接合箇所には、略Ｔ字状のパッキン２４を配設するものである。
【０００３】
【発明が解決しようとする課題】
ところで、このようなシール構造においては、構造が複雑になりながら、毛細管現象に起因したパネル背部への漏水を防止することができないという問題があった。
【０００４】
本発明はこのような問題に鑑みてなされたものであり、パネルを接続する際の横目地及び縦目地を有効に利用することでシール構成を簡素化しながら、毛細管現象による漏水を確実に防止して充分なシール性を得ることができるパネル間のシール構造を提供することを課題とするものである。
【０００５】
【課題を解決するための手段】
請求項１においては、パネル１の上下端の一方に接続凸部２を、他方に接続凹部３を形成し、パネル１の表面の上端部に固定用凹部４を、パネル１の表面の下端部に固定用凹部４に対して横目地溝５を残して被せる覆い片６を垂下し、パネル１の左右端部にパネル１の表面外皮７を折り曲げて側部接続片１０，１０を形成し、上下及び左右に接続されるパネル１…間のシール構造であって、接続凸部２と接続凹部３との間にパネル１の全幅にわたる第１パッキン１１を設け、第２パッキン１２はベローズ状に形成され、第２パッキン１２に形成した突条部２０を覆い片６の背面に形成した凹溝２１に係入して固定用凹部４と覆い片６との間にパネル１の全幅にわたる第２パッキン１２を設け、第１パッキン１１は第２パッキン１２よりも上位に設けられ、第２パッキン１２の直下方で覆い片６と固定用凹部４とで構成される横目地溝５の底部にパネル１の全幅にわたる第３パッキン１３を敷設し、第３パッキン１３を溝長さ方向に分断して通気用の第１開口１７を形成し、第２パッキン１２に第１開口１７とは左右方向における位置を異ならせて第２開口１８を形成し、第２パッキン１２と第１パッキン１１とで囲繞される横通気路１９を形成し、側部接続片１０，１０間にパネル１の全高にわたる第４パッキン１４を設け、第４パッキン１４よりもパネル表面側で上記第３パッキン１３の長さ方向の側端部間に縦目地片１５を介装し、第４パッキン１４、第３パッキン１３及び縦目地片１５にて囲繞して縦通気路１６を形成し、上記横通気路１９を上記縦通気路１６に連通して成ることを特徴とするものである。
【０００６】
このような構成によれば、第３パッキン１３と第２パッキン１２との間の左右通気路２５は大気側に連通して大気圧と等しい圧になるのであり、同様に、第２パッキン１２に第２開口１８が形成されて第２パッキン１２と第１パッキン１１との間の横通気路１９においても大気圧となるのであり、一方、縦目地片１５及び第４パッキン１４などにて囲繞される縦通気路１６もその上下端は開放されていて大気圧となるのであり、このように、横目地における第３パッキン１３の第１開口１７部分及びこれに連通する縦目地における縦通気路１６とは共に大気圧となる等圧になるのであり、したがって、第１開口１７から雨滴が風圧によって吹き込まれようとしても、等圧となっている左右通気路２５、横通気路１９及び縦通気路１６の空気が動くのを効果的に抑制することができ、したがって、雨水の吹き込みを効果的に抑制することができる（等圧理論による）。
【０００７】
更に、第１開口１７と第２開口１８とは位置がずれていることから、第１開口１７から降り込んだ雨滴が第２開口１８を経て横通気路１９へと溢流することを防止することができるのであり、雨滴の浸入を効果的に防止することができる。
【０００８】
加えて、万一、雨水が第１開口１７、第２開口１８を通過して浸入したとしても、横通気路１９は縦通気路１６に連通していることから、浸入した雨水を縦通気路１６を経て下方に排水することができ、かつ、縦目地片１５から浸入した雨水を排水することができ、しかして、パネル１の裏面側への雨水の浸入を効果的に防止することができる。
【０００９】
このように請求項１に係る発明においては、パネル１を接続する際の横目地における左右通気路２５、横通気路１９と縦目地における縦通気路１６を連通して等圧にすることから、各通気路２５、１９、１６における空気の流れ及び圧力の変動を抑制して、効果的に雨水の浸入を防止するとともに毛細管現象による漏水を確実に防止することができるのであり、シール構成を簡素化して充分なシールをおこなうのである。
【００１０】
更に、請求項１においては、第１パッキン１１は第２パッキン１２よりも上位に設けてあることを特徴とするものである。このような構成によれば、仮に、通気路１９に雨水が浸入しても第１パッキン１１が上位にあることから、雨水が上方の第１パッキン１１を越えてパネル１の裏面側に回り込むのを防止することができる。
【００１１】
更に、請求項１においては、第２パッキン１２はベローズ状に形成され、端部の突条部２０を覆い片６の背面に形成した凹溝２１に係入していることを特徴とするものである。このような構成によれば、中間に位置する第２パッキン１２の取付けを容易におこなうことができる。
【００１２】
【発明の実施の形態】
以下、本発明の実施の形態を説明する。図１は概略縦断面図、図２は概略正面図、図３は図１のＸ−Ｘ線断面図、図４は図１のＹ−Ｙ線断面図、図５は図１のＺ−Ｚ線断面図である。
【００１３】
送り出し装置にて送り出された金属製の表側外皮７と裏側外皮８の上下両端にはロール成形により成形されて接続凸部２及び接続凹部３が形成され、これら表裏の外皮７，８間に断熱性を備えた芯材９としてのロックウール材、珪酸カルシウムが装填されている。表裏の外皮７，８は若干の隙間が形成されて表裏の外皮７，８間の熱伝動を回避するようにしている。
【００１４】
パネル１の表面の上端部に固定用凹部４を、パネル１の表面の下端部に固定用凹部４に対して横目地溝５を残して被せる覆い片６を垂下している。パネル１の左右端部にパネル１の表面外皮７を折り曲げて側部接続片１０，１０を形成している。側部接続片１０には凹溝２７を形成している。
【００１５】
しかして、図１に示すように、下位のパネル１を固定用凹部４においてはボルト（図示せず）にて壁下地に固定し、接続凸部２に上位のパネル１の接続凹部３を接続するとともに、覆い片６を固定用凹部４に横目地溝５を残して被せるのである。
【００１６】
この場合、接続凸部２と接続凹部３との間にパネル１の全幅にわたって管状の第１パッキン１１を介装するのである。又、固定用凹部４と覆い片６との間にパネル１の全幅にわたってベローズ状の第２パッキン１２を介装するのである。更に、第２パッキン１２よりも下位で、かつ、覆い片６と固定用凹部４とで構成される横目地溝５の底部においてパネル１の全幅にわたる第３パッキン１３を敷設するのである。このようにして、パネル１，１を上下に接続するのである。
【００１７】
一方、側部接続片１０，１０間にパネル１の全高にわたる第４パッキン１４を介装するのである。第４パッキン１４は、中空パッキン１４ａ，１４ａを対向させて構成され、中空パッキン１４ａの凸条２８を側部接続片１０の凹溝２７に挿入して中空パッキン１４ａ，１４ａにてシールを図っている。上記第３パッキン１３，１３の長さ方向の側端部間に縦目地片１５を介装している。第４パッキン１４、第３パッキン１３，１３及び縦目地片１５にて囲繞して縦通気路１６を形成している。このような縦通気路１６の上下端は開放されている。
【００１８】
ところで、横目地溝５の底部に敷設した第３パッキン１３を溝長さ方向に分断して通気用の第１開口１７を形成している。第２パッキン１２に第１開口１７とは左右方向における位置を異ならせて第２開口１８を形成している。
【００１９】
このように、横目地溝５の底部に敷設される第３パッキン１３には第１開口１７が形成されていることから、第３パッキン１３と第２パッキン１２との間の左右通気路２５は大気側に連通して大気圧と等しい圧になるのである。同様に、第２パッキン１２に第２開口１８が形成されて第２パッキン１２と第１パッキン１１との間の横通気路１９においても大気圧となるのである。一方、縦目地片１５及び第４パッキン１４などにて囲繞される縦通気路１６も大気圧となるのである。
【００２０】
しかして、横目地における第３パッキン１３の第１開口１７部分及びこれに連通する縦目地における縦通気路１６とは共に大気圧となる等圧になるのである。したがって、第１開口１７から雨滴が風圧によって吹き込まれようとしても、等圧となっている左右通気路２５、横通気路１９及び縦通気路１６の空気が動く（図２矢印イで示す）のを効果的に抑制するのであり、雨水の吹き込みを効果的に抑制するのである。
【００２１】
更に、第１開口１７と第２開口１８とは正面視における位置がずれていることから、第１開口１７から降り込んだ雨滴が第２開口１８を経て横通気路１９へと溢流することを防止するのであり、雨滴の浸入を効果的に防止することができるのである。
【００２２】
ところで、万一、雨水が第１開口１７、第２開口１８を通過して浸入したとしても、横通気路１９は縦通気路１６に連通していることから、浸入した雨水を縦通気路１６を経て下方に排水することができ、しかして、パネル１の裏面側への雨水の浸入を効果的に防止するのである。
【００２３】
このように、パネル１を接続する際の横目地における左右通気路２５、横通気路１９と縦目地における縦通気路１６を連通して等圧にすることから、各通気路２５、１９、１６における空気の流れ及び圧力の変動を抑制して、効果的に雨水の浸入を防止するとともに毛細管現象による漏水を確実に防止することができるのであり、シール構成を簡素化して充分なシールをおこなうのである。
【００２４】
ところで、第１パッキン１１は第２パッキン１２よりも上位に設けてあって、仮に、通気路１９に雨水が浸入しても第１パッキン１１が上位にあることから、雨水が上方の第１パッキン１１を越えてパネル１の裏面側に雨水が回り込むのを防止するのである。
【００２５】
更に、第２パッキン１２はベローズ状に形成され、端部の突条部２０を覆い片６の背面に形成した凹溝２１に係入していることから、第２パッキン１２の取付けを容易におこなうことができるのである。
【００２６】
図６は上記パッキン１１、１２、１３、１４の関係を示す斜視図であり、第４パッキン１４の中空パッキン１４ａ，１４ａが必要に応じて上下に突き合せされてその前方（パネル前面側）の縦通気路１６を形成し、第１パッキン１１の長さ方向の端部が中空パッキン１４ａの外側面に弾接して横通気路１９の上限域を形成し、横目地溝５の溝底に敷設される第３パッキン１３の端部にブロック状の第５パッキン３０が載設され、第５パッキン３０の段部３１に第２パッキン１２の突条部２０の端部を載置し、第２パッキン１２にて横通気路１９の下限域を形成するものである。
【００２７】
尚、実施の形態においては、第４パッキン１４を一対の中空パッキン１４ａ，１４ａにて形成したが、一体化した一本物にしてもよいものである。
【００２８】
【発明の効果】
請求項１においては、パネルの上下端の一方に接続凸部を、他方に接続凹部を形成し、パネルの表面の上端部に固定用凹部を、パネルの表面の下端部に固定用凹部に対して横目地溝を残して被せる覆い片を垂下し、パネルの左右端部にパネルの表面外皮を折り曲げて側部接続片を形成し、上下及び左右に接続されるパネル間のシール構造であって、
接続凸部と接続凹部との間にパネルの全幅にわたる第１パッキンを設け、第２パッキンはベローズ状に形成され、第２パッキンに形成した突条部を覆い片の背面に形成した凹溝に係入して固定用凹部と覆い片との間にパネルの全幅にわたる第２パッキンを設け、第１パッキンは第２パッキンよりも上位に設けられ、第２パッキンの直下方で覆い片と固定用凹部とで構成される横目地溝の底部にパネルの全幅にわたる第３パッキンを敷設し、第３パッキンを溝長さ方向に分断して通気用の第１開口を形成し、第２パッキンに第１開口とは左右方向における位置を異ならせて第２開口を形成し、第２パッキンと第１パッキンとで囲繞される横通気路を形成し、側部接続片間にパネルの全高にわたる第４パッキンを設け、第４パッキンよりもパネル表面側で上記第３パッキンの長さ方向の側端部間に縦目地片を介装し、第４パッキン、第３パッキン及び縦目地片にて囲繞して縦通気路を形成し、上記横通気路を上記縦通気路に連通しているから、つまり、横目地溝の底部に敷設される第３パッキンには第１開口が形成されていることから、第３パッキンと第２パッキンとの間の左右通気路は大気側に連通して大気圧と等しい圧になるのであり、同様に、第２パッキンに第２開口が形成されて第２パッキンと第１パッキンとの間の横通気路においても大気圧となるのであり、一方、縦目地片及び第４パッキンなどにて囲繞される縦通気路もその上下端は開放されていて大気圧となるのであり、このように、横目地における第３パッキンの第１開口部分及びこれに連通する縦目地における縦通気路とは共に大気圧となる等圧になるのであり、したがって、第１開口から雨滴が風圧によって吹き込まれようとしても、等圧となっている左右通気路、横通気路及び縦通気路の空気が動くのを効果的に抑制することができ、したがって、雨水の吹き込みを効果的に抑制することができるという利点がある。
【００２９】
更に、第１開口と第２開口とは位置がずれていることから、第１開口から降り込んだ雨滴が第２開口を経て横通気路へと溢流することを防止することができるのであり、雨滴の浸入を効果的に防止することができるという利点がある。加えて、万一、雨水が第１開口、第２開口を通過して浸入したとしても、横通気路は縦通気路に連通していることから、浸入した雨水を縦通気路を経て下方に排水することができ、しかして、パネルの裏面側への雨水の浸入を効果的に防止することができるという利点がある。
【００３０】
このように請求項１に係る発明においては、パネルを接続する際の横目地における左右通気路、横通気路と縦目地における縦通気路を連通して等圧にすることから、各通気路における空気の流れ及び圧力の変動を抑制して、雨水の浸入を効果的に防止するとともに毛細管現象による漏水を確実に防止することができるのであり、シール構成を簡素化して充分なシールをおこなうことを特徴とするものである。
【００３１】
更に、請求項１においては、第１パッキンは第２パッキンよりも上位に設けてあるから、仮に、横通気路に雨水が浸入しても第１パッキンが上位にあることから、雨水が上方の第１パッキンを越えてパネルの裏面側に雨水が回り込むのを防止することができるという利点がある。
【００３２】
更に、請求項１においては、第２パッキンはベローズ状に形成され、端部の突条部を覆い片の背面に形成した凹溝に係入しているから、第２パッキンの取付けを容易におこなうことができるという利点がある。
【図面の簡単な説明】
【図１】本発明の実施の一形態の概略縦断面図である。
【図２】同上の概略正面図である。
【図３】図１のＸ−Ｘ線断面図である。
【図４】図１のＹ−Ｙ線断面図である。
【図５】図１のＺ−Ｚ線断面図である。
【図６】同上のパッキンの相互の関係を示す斜視図である。
【図７】従来例を示す概略斜視図である。
【図８】同上の上下方向の接続状態を示す断面図である。
【符号の説明】
１    パネル
２    接続凸部
３    接続凹部
４    固定用凹部
５    横目地溝
６    覆い片
７    表側外皮
８    裏側外皮
９    芯材
１０  側部接続片
１１  第１パッキン
１２  第２パッキン
１３  第３パッキン
１４  第４パッキン
１５  縦目地片
１６  縦通気路
１７  第１開口
１８  第２開口
１９  通気路
２０  突条部
２１  凹溝
【図１】
0003756717.tif 000002
【図２】
0003756717.tif 000003
【図３】
0003756717.tif 000004
【図４】
0003756717.tif 000005
【図５】
0003756717.tif 000006
【図６】
0003756717.tif 000007
【図７】
0003756717.tif 000008
【図８】
0003756717.tif 000009